(57)【特許請求の範囲】
【請求項１】
壁面(H)に固定して設けられる基部材(1)と、
上記基部材(1)に取り外し可能に取り付けられる手摺(2)と、
当該手摺(2)を取り外した上記基部材(1)に、上記手摺(2)の取付跡を隠すように取り外し可能に取り付けられる化粧部材(3)と、
を備え、
上記基部材(1)は、
上記手摺(2)を取り外し可能に取り付けるための手摺取付部材(11)を備え、当該手摺取付部材(11)には、上側の引掛口(112)と下側の引掛口(112)が形成されており、
上記手摺(2)は、
上記引掛口(112)に引っ掛ける引掛部(214)を有するブラケット(21)備え、当該ブラケット(21)の引掛部(214)を上記上側又は下側の引掛口(112)に引っ掛けることにより取り付け高さを変えられる、
手摺装置。
【発明の詳細な説明】
【０００１】
【発明の属する技術分野】
本発明は、手摺装置に係り、更に詳しくは、手摺の取り付け及び取り外しが簡単にでき、かつ、手摺を取り外したときの外観も見苦しくならないようにするものに関する。
【０００２】
【従来技術】
従来から階段、廊下、浴室、トイレ等には、身体動作を補助するために手摺が設けてある。手摺は、固定状態から簡単に外れないように、通常、壁面等に木ネジをねじ込んだり釘を打ち込んだりして取り付けてある。
【０００３】
【発明が解決しようとする課題】
上記した従来からある手摺には、次のような課題があった。
例えば、手摺のある廊下を通って家具等を搬入する場合では、この手摺が邪魔になって搬入が困難なことがある。このような場合では、手摺りを取り外して搬入がし易くされる。しかし、手摺は木ネジをねじ込んだり釘を打ち込んだりして取り付けてあり、予め取り外されることを想定して取り付けられていないので、取り外した場合は、再び取り付けることが困難であった。
【０００４】
また、必要のなくなった手摺については、上記したように家具等の搬入や歩行等の邪魔になるので、長期的に取り外されることもある。しかし、手摺を取り外した場合では、この手摺を取り付けていたネジや釘等の取り付け跡が壁面に残ってしまうので、取り外した後における壁面の外観が見苦しくなるという課題があった。
【０００５】
（目  的）
本発明は、上記課題を解決するもので、手摺の取り付け及び取り外しが簡単にでき、かつ、手摺を取り外したときの外観も見苦しくならないようにする手摺装置を提供することを目的とする。
【０００６】
【課題を解決するための手段】
上記目的を達成するために講じた本発明の手段は次のとおりである。
第１の発明にあっては、
壁面に固定して設けられる基部材と、
上記基部材に取り外し可能に取り付けられる手摺と、
当該手摺を取り外した上記基部材に、上記手摺の取付跡を隠すように取り外し可能に取り付けられる化粧部材と、
を備え、
上記基部材は、
上記手摺を取り外し可能に取り付けるための手摺取付部材を備え、当該手摺取付部材には、上側の引掛口と下側の引掛口が形成されており、
上記手摺は、
上記引掛口に引っ掛ける引掛部を有するブラケット備え、当該ブラケットの引掛部を上記上側又は下側の引掛口に引っ掛けることにより取り付け高さを変えられる、
手摺装置である。
【０００７】
（削除）
【０００８】
（削除）
【０００９】
（削除）
【００１０】
（削除）
【００１１】
（削除）
【００１２】
（削除）
【００１３】
（削除）
【００１４】
（削除）
【００１５】
（削除）
【００１６】
手摺、化粧部材、手摺取付部材、手摺固定部材を取り外し可能に取り付ける方法としては、例えば、係合、引っ掛け（掛合）、嵌め合い（嵌合）、嵌め入れ（嵌入）、磁石による牽引（磁着）、ネジ止め（螺合）等を挙げることができる。
【００１７】
構造物は、例えば、壁等を挙げることができるが、これに限定するものではない。
【００１８】
構造物の取り付け箇所は、部材を構造物に取り付けて（部材が構造物の一部をなすようにしてある場合も含む）形成することもできるし、構造物の一部が取り付け部をなすようにして形成することもできる。また、この取り付け箇所は、構造物の表面と面一の箇所にあっても良いし、表面から凹ませた箇所にあっても良いし、表面から突出させた箇所にあっても良い。
【００１９】
（作  用）
本発明に係る手摺装置の作用を説明する。
基部材は壁面等に固定して設けられる。基部材には手摺が取り外し可能に取り付けられる。化粧部材は、手摺を取り外した基部材に、手摺の取付跡を隠すように取り外し可能に取り付けられる。
【００２０】
手摺の取付位置が調整可能であるので、例えば、手摺の床面からの高さを変えることができる。
【００２１】
（削除）
【００２２】
【発明の実施の形態】
本発明の実施の形態を図面に基づき更に詳細に説明する。
図１は手摺装置の一使用状態を示しており、基部材に手摺を取り付けた状態の説明図、
図２は手摺を基部材に取り付ける部分の拡大正面図、
図３は図２のＡ−Ａ断面図である。
【００２３】
手摺装置は、壁面Ｈに固定して設けられる基部材１と、基部材１に取り外し可能に取り付けられる手摺２と、手摺２を取り外した基部材１に、この手摺２の取付跡を隠すように取り外し可能に取り付けられる化粧部材３を備えて構成されている。
【００２４】
図１ないし図３で手摺装置は、基部材１に手摺２が取り付けてある状態を示している。
本実施の形態で示す手摺装置は、高さの異なる水平な廊下とその間を繋ぐ階段とに対応するように設けてある。具体的には基部材１が、廊下では横方向に延ばして設けてあり、階段では廊下の基部材１を繋ぐように斜めにして設けてある。
また、廊下と対応する基部材１には、直線状の手摺２が設けてあり、階段と対応する基部材１には、波形状に湾曲してある手摺２が設けてある。しかし、手摺装置を設ける場所や手摺の形状は、特に限定するものではない。
【００２５】
手摺装置の各構成について詳述する。
基部材１は、所要幅を有し、長さ方向に延びて形成してある略板状の基部材本体１０を備えている。基部材本体１０の表面側には、基部材本体１０が縦断面略「コ」字状になるように凹部１００が全長にわたり形成してある。凹部１００の内部壁の上下には、更に内方に凹部を設けてなる係合溝１０１が全長にわたり形成してある。
【００２６】
基部材本体１０の表面の長さ方向に沿う両端側には、凹凸を設けて意匠性を高めるための細工模様部１２が全長にわたり形成してある。
【００２７】
凹部１００及び係合溝１０１内には、手摺取付部材である取付プレート１１が設けてある。取付プレート１１は、横断面略「コ」字形状を有し、凹部１００及び係合溝１０１の幅よりやや短い長さを有する正面視略長方形状に形成してある。取付プレート１１は、基部材本体１０の長さ方向において所要間隔で複数箇所に設けてある。
【００２８】
取付プレート１１の表面には、木ネジＭが挿通する貫通孔１１０と、手摺２のブラケット２１を取り付けるためのネジが螺合するネジ孔１１１と、ブラケット２１を引っ掛けるための係合部である引掛口１１２が形成してある。
【００２９】
貫通孔１１０は、四隅と、両縁部側の長さ方向を二分する箇所の計六箇所に形成してある（図２参照）。ネジ孔１１１は、貫通孔１１０の間で両縁部側の長さ方向を二分する箇所の計四箇所に形成してある（図２参照）。ネジ孔１１１は、バーリング加工により裏面に円筒部を形成し、更に円筒部の内面にネジ溝を設けて形成してある。引掛口１１２は、幅方向に対向したネジ孔１１１間の上方に、取付プレート１１の表面を貫通して二箇所に形成してある。
【００３０】
基部材１は、凹部１００及び係合溝１０１内に取付プレート１１を設けて、基部材本体１０の裏面を壁面Ｈに当接させる。そして、この状態で貫通孔１１０に木ネジＭを通し、この木ネジＭを基部材本体１０を貫通させて壁面Ｈにねじ込むことで固定してある。基部材１は、取り付けられた手摺２が歩行者の腰あたりの高さに位置するように固定してある。
【００３１】
基部材１に取り付けてある手摺２は、直線状の丸棒からなる手摺本体２０ａと、丸棒を波形状（本質的に正弦曲線状）に連続して湾曲形成してある手摺本体２０ｂと、手摺本体２０ａ，２０ｂを基部材本体１０に取り付けるための手摺固定部材であるブラケット２１を備えている。
【００３２】
ブラケット２１は、略「Ｌ」字状に形成してある支持部２１０と、取付プレート１１に取り付けられる取着板２１１と、支持部２１０の上部に軸ボルトＫにより回動可能に取り付けてある連結部２１５と、手摺本体２０ａ，２０ｂの下側を載せて受ける受け部２１２を備えている。
【００３３】
取着板２１１は、略円板形状を有しており、略円心部分に支持部２１０の基部が固着してある。取着板２１１の支持部２１０を挟んだ両側には、貫通した貫通孔２１３が形成してある。貫通孔２１３は、取付プレート１１のネジ孔１１１と対応するように形成してある。また、取着板２１１の上部には、縁部から裏面側に突き出て引掛部２１４が形成してある。引掛部２１４は、裏面を含んで縦断面略「コ」字状を有し、横幅が引掛口１１２よりもやや幅狭で、裏面との隙間が取付プレート１１の厚みよりもやや広くなるようにしてある。
【００３４】
受け部２１２は、連結部２１５を介して支持部２１０と連結してあり、図２において左右方向に回動できるようにしてある。受け部２１２は、軸ボルトＫを締めることにより所要の角度で固定される。また、受け部２１２で受けた手摺本体２０ａ，２０ｂは、受け部２１２の下方からネジ（図示省略）を貫通させてねじ込むことで、受け部２１２と一体に固定される。
【００３５】
手摺２は、ブラケット２１の引掛部２１４を引掛口１１２に入れて引っ掛け、貫通孔２１３にボルトＢを通してネジ孔１１１にねじ込むことで基部材１に取り付けてある。
本実施の形態で手摺２は、上側の引掛口１１２に引掛部２１４を引っ掛けて取り付けてある状態を示している。しかし、これは限定するものではなく、下側の引掛口１１２を使用することもできる。
【００３６】
また、本実施の形態で手摺本体２０ａ，２０ｂは、外径が３４ｍｍのものを使用した。しかし、手摺本体２０ａ，２０ｂの外径はこれに限定するものではない。
【００３７】
図４は手摺装置の他の使用状態を示しており、基部材に化粧部材を取り付けた状態の説明図、
図５は基部材と化粧部材の縦断面図である。
【００３８】
図４は、図１に示す手摺装置より手摺２を取り外し、基部材１に化粧部材３が取り付けてある状態を示している。
化粧部材３は、凹部１００の幅よりやや狭い幅で、長さ方向に延びた板形状を有している。化粧部材３の長さ方向に沿う両端面には、係合溝１０１と係合可能な係合凸部３０が全長にわたり形成してある。また、係合凸部３０を含む化粧部材３の長さ方向に沿う両端面には、所要の厚みを有する軟質の合成樹脂層３１が被覆するように全長にわたり設けてある。
【００３９】
また、化粧部材３の表面の長さ方向に沿う両端側には、引掛溝３２が全長にわたり形成してある。引掛溝３２は、取り外し具（図示省略）を引っ掛けるためのものであり、化粧部材３を基部材１から取り外す際に使用される。引掛溝３２は、入口側から奥側にかけて溝内の幅が段々と大きくなる断面略台形形状に形成してある（図５参照）。
【００４０】
化粧部材３は、係合凸部３０を係合溝１０１に嵌め合い、裏面を取付プレート１１に当てて、全体を凹部１００内に収容することで、基部材１に取り付けてある。
【００４１】
（作  用）
図１ないし図５を参照し、手摺装置の使い方を交えながら、作用を説明する。
例えば、高齢者や障害者等が利用する場所では、図１に示すように通常状態で基部材１に手摺２を取り付けた状態にしておく。これにより高齢者や障害者等は、手摺２を握って安全に廊下を通行したり階段を昇降したりできる。
【００４２】
手摺２は、不要になったりした場合では、ボルトＢを外し、引掛口１１２から引掛部２１４も外すことで、基部材１から簡単に取り外せる。こうして廊下や階段の通行できる幅を広くし、家具等の搬入がし易くできる。
【００４３】
また、手摺２は引掛口１１２に引掛部２１４を引っ掛けて、ボルトＢをネジ孔１１１にねじ込むことで簡単に取り付けられる。従って、下部の引掛口１１２を使用するように取り付け直すことで、手摺２の取り付け高さを変えることが可能である。この場合では、手摺２の床面からの高さを使用者の体格に合わせるようにできる。
【００４４】
このように手摺装置では、何度でも手摺２を必要なときに取り付けたり、不要になったときに取り外したりできる。
【００４５】
手摺２を長期的に取り外す場合では、図４に示すように基部材１に化粧部材３を取り付けた状態にしておく。こうして取付プレート１１を隠して、手摺２の取付跡となるネジ孔１１１が外部より見えないようにできる。これにより手摺２を取り外した後でも壁面Ｈの外観が見苦しくならない。
【００４６】
化粧部材３には、係合凸部３０を含む長さ方向に沿う両端面に軟質の合成樹脂層３１が設けてあるので、合成樹脂層３１が振動を吸収し、化粧部材３が基部材１本体１０の凹部１００内に収容された状態でも、がたつきが生じにくい。また、がたつきが生じた場合でも合成樹脂層３１が軟質であるので、騒音は発生し難い。
【００４７】
なお、化粧部材３を基部材１より取り外す際には、引掛溝３２内に挿入可能な係合部を備える取り外し具が使用される。化粧部材３は、係合部を引掛溝３２内に入れて上面を引掛溝３２の内上面に当てるようにし、そのままの状態で化粧部材３を上方に持ち上げて、下部の係合凸部３０が係合溝１０１より外れるように手前に引き寄せることにより取り外される。
【００４８】
ところで、手摺装置を構成する手摺２や化粧部材３のうち基部材１に取り付けていないものは、必要になるまで収容して保管しておかなければならない。しかしながら、近年の住宅事情を省みれば、保管場所の確保は容易でないといえる。
従って、手摺装置では、手摺２や化粧部材３が必要なときに借り受けられるようにすることもできる。この場合では、例えば、基部材１に化粧部材３を取り付けておき、手摺２が必要になったときに化粧部材３を返却して手摺２を借り受けたり、逆に、手摺２を取り付けておき、手摺２が不要になったときに返却して化粧部材３を借り受けたりできる。これにより使用者は、手摺２や化粧部材３の保管場所を確保しなくて良い。
【００４９】
本実施の形態で基部材１は、木ネジＭをねじ込むことによって壁面Ｈに固定するようにしたが、基部材１の固定方法はこれに限定するものではなく、例えば、建築時において予め建築物の壁内に埋め込んで設けることもできる。
【００５０】
本実施の形態で基部材１と化粧部材３は、上部側と下部側とが略対称形状に形成してある。こうして使用時において上下の向きが固定されないようにしてある。これにより取り付けの際に上下を確認する手間をなくすことができ、取り付けが簡単にできる。
【００５１】
本実施の形態で化粧部材３は、引掛溝３２内に取り外し具の係合部を入れて基部材１より取り外すようにしたが、取り外し方はこれに限定するものではなく、他の方法によって取り外すこともできる。その場合、引掛溝３２は他の形状にすることもできる。また、引掛溝３２自体を形成しないようにもできる。
【００５２】
本実施の形態で示す手摺装置は、水平な廊下と階段に設けてある状態のものを示したが、手摺装置を設ける場所はこれに限定するものではなく、例えば、トイレ、浴室、玄関等立つ動作や座る動作をする場所についても設けることができる。
【００５３】
本明細書で使用している用語と表現は、あくまでも説明上のものであって、なんら限定的なものではなく、本明細書に記述された特徴およびその一部と等価の用語や表現を除外する意図はない。また、本発明の技術思想の範囲内で、種々の変形態様が可能であるということは言うまでもない。
【００５４】
【発明の効果】
本発明は上記構成を備え、次の効果を有する。
（ａ）本発明によれば、基部材から手摺を簡単に取り外すことができ、例えば、廊下や階段等の通行できる幅を広くして家具等の搬入がし易くしたりできる。また、手摺は基部材に簡単に取り付けることもできる。このように手摺装置では何度でも手摺を必要なときに取り付けたり、不要になったときに取り外したりできる。
【００５５】
（ｂ）本発明によれば、化粧部材を基部材に取り付けて、手摺の取付跡を隠すことができる。これにより必要のなくなった手摺を長期的に取り外す場合でも、取り外した後の壁面の外観が見苦しくならない。
【００５６】
（ｃ）手摺の取付位置が調整可能であるので、例えば、手摺の床面からの高さを使用者の体格に合わせるようにできる。
【図面の簡単な説明】
【図１】  手摺装置の一使用状態を示しており、基部材に手摺を取り付けた状態の説明図
【図２】  手摺を基部材に取り付ける部分の拡大正面図。
【図３】  図２のＡ−Ａ断面図。
【図４】  手摺装置の他の使用状態を示しており、基部材に化粧部材を取り付けた状態の説明図。
【図５】  基部材と化粧部材の縦断面図。
【符号の説明】
Ｂ  ボルト
Ｈ  壁面
Ｋ  軸ボルト
Ｍ  木ネジ
１  基部材
１０  基部材本体
１００  凹部
１０１  係合溝
１１  取付プレート
１１０  貫通孔
１１１  ネジ孔
１１２  引掛口
１２  細工模様部
２  手摺
２０ａ  手摺本体
２０ｂ  手摺本体
２１  ブラケット
２１０  支持部
２１１  取着板
２１２  受け部
２１３  貫通孔
２１４  引掛部
２１５  連結部
３  化粧部材
３０  係合凸部
３１  合成樹脂層
３２  引掛溝
【図１】
0004724327.tif 000002
【図２】
0004724327.tif 000003
【図３】
0004724327.tif 000004
【図４】
0004724327.tif 000005
【図５】
0004724327.tif 000006